(57)【要約】【課題】着信拒否と転送との間で対象とする送信元が重複するような登録を回避する。【解決手段】転送設定において、転送条件として相手先ＦＡＸ番号と一致パターンとが設定され、ブラックリスト設定において、着信拒否条件として送信元と一致パターンとが設定される。転送設定登録の際には、ブラックリスト照会処理により、受け付け中の転送設定の転送条件に該当する送信元が、登録済みの着信拒否条件のいずれかに該当する送信元と一致する重複状態が生じる場合は、登録修正処理がなされ、受け付け中の転送条件または登録済みの着信拒否条件を修正するよう制御される。【選択図】図１１
2017060098.tif 000002
【特許請求の範囲】
【請求項１】
ファクシミリ通信を行うことが可能な画像通信装置であって、
転送条件及び転送先を含む転送設定をユーザから受け付け、受け付けた転送設定を登録する第１の登録手段と、
着信拒否条件をユーザから受け付け、受け付けた着信拒否条件を登録する第２の登録手段と、
文書を受信した場合に、前記第１の登録手段による登録済みの転送設定に含まれる転送条件に該当する送信元からの文書については前記転送設定に含まれる転送先へ転送する転送手段と、
着信があったとき、前記第２の登録手段による登録済みの着信拒否条件に該当しない送信元からの文書を受信すると共に、前記着信拒否条件に該当する送信元からの文書の受信を拒否する受信手段と、
前記第１の登録手段による受け付け中の転送設定に含まれる転送条件に該当する送信元が前記登録済みの着信拒否条件のいずれかに該当する送信元と一致する、重複状態が生じた場合は、その旨を報知するよう制御する制御手段と、を有することを特徴とする画像通信装置。
【請求項２】
前記制御手段は、前記重複状態が生じた場合は、前記受け付け中の転送設定に含まれる転送条件を修正するか、あるいは、前記登録済みの着信拒否条件を修正するよう制御することを特徴とする請求項１に記載の画像通信装置。
【請求項３】
前記制御手段は、前記第２の登録手段による受け付け中の着信拒否条件に該当する送信元が前記登録済みの転送設定に含まれる転送条件のいずれかに該当する送信元と一致する、重複状態が生じた場合は、前記受け付け中の着信拒否条件を修正するか、あるいは、前記登録済みの転送設定に含まれる転送条件を修正するよう制御することを特徴とする請求項１または２に記載の画像通信装置。
【請求項４】
ファクシミリ通信を行うことが可能な画像通信装置であって、
転送条件及び転送先を含む転送設定をユーザから受け付け、受け付けた転送設定を登録する第１の登録手段と、
着信拒否条件をユーザから受け付け、受け付けた着信拒否条件を登録する第２の登録手段と、
文書を受信した場合に、前記第１の登録手段による登録済みの転送設定に含まれる転送条件に該当する送信元からの文書については前記転送設定に含まれる転送先へ転送する転送手段と、
着信があったとき、前記第２の登録手段による登録済みの着信拒否条件に該当しない送信元からの文書を受信すると共に、前記着信拒否条件に該当する送信元からの文書の受信を拒否する受信手段と、
前記第２の登録手段による受け付け中の着信拒否条件に該当する送信元が前記登録済みの転送設定に含まれる転送条件のいずれかに該当する送信元と一致する、重複状態が生じた場合は、その旨を報知するよう制御する制御手段と、を有することを特徴とする画像通信装置。
【請求項５】
前記制御手段は、前記重複状態が生じた場合は、前記受け付け中の着信拒否条件を修正するか、あるいは、前記登録済みの転送設定に含まれる転送条件を修正するよう制御することを特徴とする請求項４に記載の画像通信装置。
【請求項６】
前記制御手段は、前記第１の登録手段による受け付け中の転送設定に含まれる転送条件に該当する送信元が前記登録済みの着信拒否条件のいずれかに該当する送信元と一致する、重複状態が生じた場合は、前記受け付け中の転送設定に含まれる転送条件を修正するか、あるいは、前記登録済みの着信拒否条件を修正するよう制御することを特徴とする請求項４または５に記載の画像通信装置。
【請求項７】
着信拒否条件と転送設定のいずれを修正するかをユーザに予め選択させる選択手段を有し、
前記制御手段は、前記重複状態が生じた場合に、前記選択手段による選択に応じて、前記転送設定に含まれる転送条件あるいは前記着信拒否条件を修正するよう制御することを特徴とする請求項１〜６のいずれか１項に記載の画像通信装置。
【請求項８】
着信拒否条件と転送設定のいずれを修正するかを、前記重複状態が生じた段階でユーザに選択させる選択手段を有し、
前記制御手段は、前記重複状態が生じた場合に、前記選択手段による選択に応じて、前記転送設定に含まれる転送条件あるいは前記着信拒否条件を修正するよう制御することを特徴とする請求項１〜６のいずれか１項に記載の画像通信装置。
【請求項９】
前記第１の登録手段により登録される前記転送設定に含まれる前記転送条件は、送信元の番号に対して全数値が一致する完全一致、送信元の番号に対して先頭の所定数の桁の数値が一致する先頭一致、送信元の番号に対して中間の所定数の桁の数値が一致する部分一致、または、送信元の番号に対して後端の所定数の桁の数値が一致する終端一致、のいずれかであることを特徴とする請求項１〜８のいずれか１項に記載の画像通信装置。
【請求項１０】
前記第２の登録手段により登録される前記着信拒否条件は、送信元の番号に対して全数値が一致する完全一致、送信元の番号に対して先頭の所定数の桁の数値が一致する先頭一致、送信元の番号に対して中間の所定数の桁の数値が一致する部分一致、または、送信元の番号に対して後端の所定数の桁の数値が一致する終端一致、のいずれかであることを特徴とする請求項１〜９のいずれか１項に記載の画像通信装置。
【請求項１１】
ファクシミリ通信を行うことが可能な画像通信装置であって、
送信元条件と、転送先と着信拒否とが選択的に設定可能な処理設定とを、対応付けて登録する登録手段と、
前記登録手段により登録された送信元条件に該当する送信元から着信があり且つ、前記送信元条件に対応する処理設定に転送先が設定されている場合は、前記送信元条件に該当する送信元からの文書を前記転送先に転送し、一方、前記登録された送信元条件に該当する送信元から着信があり且つ、前記送信元条件に対応する処理設定に着信拒否が設定されている場合は、前記送信元条件に該当する送信元からの文書の受信を拒否する受信手段と、を有することを特徴とする画像通信装置。
【請求項１２】
前記登録手段により登録される前記送信元条件は、送信元の番号に対して全数値が一致する完全一致、送信元の番号に対して先頭の所定数の桁の数値が一致する先頭一致、送信元の番号に対して中間の所定数の桁の数値が一致する部分一致、または、送信元の番号に対して後端の所定数の桁の数値が一致する終端一致、のいずれかであることを特徴とする請求項１１に記載の画像通信装置。
【請求項１３】
ファクシミリ通信を行うことが可能な画像通信装置の制御方法であって、
転送条件及び転送先を含む転送設定をユーザから受け付け、受け付けた転送設定を登録する第１の登録ステップと、
着信拒否条件をユーザから受け付け、受け付けた着信拒否条件を登録する第２の登録ステップと、
文書を受信した場合に、前記第１の登録ステップによる登録済みの転送設定に含まれる転送条件に該当する送信元からの文書については前記転送設定に含まれる転送先へ転送する転送ステップと、
着信があったとき、前記第２の登録ステップによる登録済みの着信拒否条件に該当しない送信元からの文書を受信すると共に、前記着信拒否条件に該当する送信元からの文書の受信を拒否する受信ステップと、
前記第１の登録ステップによる受け付け中の転送設定に含まれる転送条件に該当する送信元が前記登録済みの着信拒否条件のいずれかに該当する送信元と一致する、重複状態が生じた場合は、その旨を報知するよう制御する制御ステップと、を有することを特徴とする画像通信装置の制御方法。
【請求項１４】
ファクシミリ通信を行うことが可能な画像通信装置の制御方法であって、
転送条件及び転送先を含む転送設定をユーザから受け付け、受け付けた転送設定を登録する第１の登録ステップと、
着信拒否条件をユーザから受け付け、受け付けた着信拒否条件を登録する第２の登録ステップと、
文書を受信した場合に、前記第１の登録ステップによる登録済みの転送設定に含まれる転送条件に該当する送信元からの文書については前記転送設定に含まれる転送先へ転送する転送ステップと、
着信があったとき、前記第２の登録ステップによる登録済みの着信拒否条件に該当しない送信元からの文書を受信すると共に、前記着信拒否条件に該当する送信元からの文書の受信を拒否する受信ステップと、
前記第２の登録ステップによる受け付け中の着信拒否条件に該当する送信元が前記登録済みの転送設定に含まれる転送条件のいずれかに該当する送信元と一致する、重複状態が生じた場合は、その旨を報知するよう制御する制御ステップと、を有することを特徴とする画像通信装置の制御方法。
【請求項１５】
請求項１３または１４に記載の画像通信装置の制御方法をコンピュータに実行させることを特徴とするプログラム。
【発明の詳細な説明】
【技術分野】
【０００１】
本発明は、ファクシミリ通信における着信拒否設定と転送設定の登録の技術に関する。
【背景技術】
【０００２】
従来、ファクシミリ通信を行うことが可能な画像通信装置において、特定の送信元からの文書を受信したくない場合に、その番号をブラックリストとして登録し、着信拒否を行えるファクシミリ装置等の画像通信装置が知られている。例えば、特許文献１の装置では、ブラックリストに記録されている電話番号からの着信に対して着信拒否や留守番電話への転送を行える。
【０００３】
一方、受信文書の転送機能を有する画像通信装置も知られている。この種の装置では一般に、文書の送信元のファクス番号を、文書転送を実施するかどうかを判断するための条件として設定可能である。また、ブラックリストによる着信拒否の機能に加えて受信文書の転送機能を有する装置も一般的である。
【先行技術文献】
【特許文献】
【０００４】
【特許文献１】特開２００７−１４３１８７号公報
【発明の概要】
【発明が解決しようとする課題】
【０００５】
しかしながら、着信拒否機能と転送機能とを有する装置においては、対象とする送信元が重複してしまうことがある。例えば、着信拒否対象または転送対象となる送信元を登録する上で、送信元の番号に対して全数値が完全一致する番号が登録されるとは限らない。すなわち、先頭一致、部分一致、終端一致のように、一部の数値が一致する送信元が、着信拒否または転送の対象と判断されるように登録できる場合もある。
【０００６】
具体例を挙げると、着信拒否対象の番号が終端一致で設定され、末尾が「−１１１１」であるとする。一方、転送対象の番号が終端一致で設定され、末尾が「１１１−１１１１」であるとする。この設定で、番号が「ＸＸＸ−１１１−１１１１」（Ｘは任意の数値）である送信元からの着信があった場合を考える。送信元の番号の末尾は「１１１―１１１１」であることから、転送対象に該当する番号であり、本来は転送したい。ところが、送信元の番号の末尾は「−１１１１」であることから、着信拒否対象にも該当するため着信が拒否され、転送されることは実質的になくなってしまう。
【０００７】
このように、着信拒否機能と転送機能とを有する装置においては、対象とする送信元同士に重複状態が生じるような設定登録をユーザが行ってしまう可能性がある。ユーザが気付かずに、上記のような着信拒否と転送との間で対象とする送信元が重複するような登録を行ってしまった場合、ユーザが意図するような受信と転送が適切に行われず、利便性の低下を招くおそれがある。
【０００８】
本発明の目的は、着信拒否と転送との間で対象とする送信元が重複するような登録を回避することである。
【課題を解決するための手段】
【０００９】
上記目的を達成するために本発明は、ファクシミリ通信を行うことが可能な画像通信装置であって、転送条件及び転送先を含む転送設定をユーザから受け付け、受け付けた転送設定を登録する第１の登録手段と、着信拒否条件をユーザから受け付け、受け付けた着信拒否条件を登録する第２の登録手段と、文書を受信した場合に、前記第１の登録手段による登録済みの転送設定に含まれる転送条件に該当する送信元からの文書については前記転送設定に含まれる転送先へ転送する転送手段と、着信があったとき、前記第２の登録手段による登録済みの着信拒否条件に該当しない送信元からの文書を受信すると共に、前記着信拒否条件に該当する送信元からの文書の受信を拒否する受信手段と、前記第１の登録手段による受け付け中の転送設定に含まれる転送条件に該当する送信元が前記登録済みの着信拒否条件のいずれかに該当する送信元と一致する、重複状態が生じた場合は、その旨を報知するよう制御する制御手段と、を有することを特徴とする。
【発明の効果】
【００１０】
本発明によれば、着信拒否と転送との間で対象とする送信元が重複するような登録を回避することができる。
【図面の簡単な説明】
【００１１】
【図１】画像通信装置のハードウェアブロック構成図である。
【図２】画像通信装置を含む通信システムの構成図である。
【図３】機器設定処理のフローチャートである。
【図４】機器設定画面の一例を示す図である。
【図５】転送設定登録処理のフローチャートである。
【図６】転送設定登録画面の一例を示す図である。
【図７】ブラックリスト登録処理のフローチャートである。
【図８】ブラックリスト登録画面の一例を示す図である。
【図９】ブラックリスト照会処理のフローチャートである。
【図１０】転送設定照会処理のフローチャートである。
【図１１】登録修正処理のフローチャートである。
【図１２】修正項目選択画面の一例を示す図である。
【図１３】受信処理のフローチャートである。
【図１４】転送処理のフローチャートである。
【図１５】重複時の動作設定処理のフローチャートである。
【図１６】重複時動作設定画面の一例を示す図である。
【図１７】受信処理のフローチャートである。
【発明を実施するための形態】
【００１２】
以下、本発明の実施の形態を図面を参照して説明する。
【００１３】
（第１の実施の形態）
図１は、本発明の第１の実施の形態に係る画像通信装置のハードウェアブロック構成図である。画像通信装置１は、ファクスプロトコルを用いて文書（画像）を送受信できるファクシミリ装置として構成される。
【００１４】
画像通信装置１は、ＣＰＵ１１を有する。ＣＰＵ１１は、メインバス１８を介してＲＡＭ１２、ＨＤＤ１３、ユーザコマンド入力装置１４、ファクス（ＦＡＸ）モデム１５、通信装置１６を制御する。公衆電話回線４は、画像通信装置１を他のファクス端末と接続する。ＲＡＭ１２は、ＣＰＵ１１のワークエリアを提供する。ＨＤＤ１３は、本発明を実現するためのプログラムを提供すると共に、様々な設定やファイルを格納するハードディスクである。ＨＤＤ１３に代えてＮＶＲＡＭ、フロッピー（登録商標）ディスク等を有していてもよい。ＨＤＤ１３上には、画像通信装置１が公衆電話回線４を介して他ファクス端末から受信した文書（画像）、及び該文書を転送するための転送条件と転送する宛先である転送先とを含む情報（以下、転送設定という)が記録される。
【００１５】
ユーザコマンド入力装置１４は、画面表示を行えると共に、ユーザがＧＵＩ(グラフィックユーザインターフェース)を介して様々な設定を行うための装置である。ファクスモデム１５は、ファクスプロトコルを用いて、公衆電話回線４経由でファクシミリ通信により外部のファクス端末とデータを送受信する。通信装置１６はネットワーク２を介して外部機器との通信を制御する。ＣＰＵ１１は、後述する図３、図１３の処理（サブ処理も含む）において、本発明における第１の登録手段、第２の登録手段、転送手段、受信手段、制御手段としての役割を果たす。
【００１６】
図２は、画像通信装置１を含む通信システムの構成図である。画像通信装置１は、ネットワーク２を介してファイルサーバ３と接続されると共に、公衆電話回線４を介してファクス端末５と接続されている。ファイルサーバ３やファクス端末５の数は複数であってもよい。
【００１７】
図３は、機器設定処理のフローチャートである。この処理を実行するためのプログラムはＨＤＤ１３に記憶されており、画像通信装置１に電源が供給されるとＨＤＤ１３に記憶されたプログラムがＲＡＭ１２上に展開され、ＣＰＵ１１によって実行される。
【００１８】
まず、ステップＳ３０１では、ＣＰＵ１１は、機器設定画面をユーザコマンド入力装置１４上に表示させる。図４は、この機器設定画面４０１の一例を示す図である。機器設定画面４０１には、設定ボタンとして、転送設定登録４０２、ブラックリスト登録４０３及び重複時動作設定４０４が表示される。これらの設定ボタンの選択操作に応じて処理が分岐する。
【００１９】
ステップＳ３０２では、ＣＰＵ１１は、転送設定登録４０２が選択されたか否かを判別し、転送設定登録４０２が選択された場合は、後述する転送設定登録処理（図５）を実行して（ステップＳ３０３）、処理をステップＳ３０１に戻す。一方、転送設定登録４０２が選択されない場合は、ＣＰＵ１１は、ブラックリスト登録４０３が選択されたか否かを判別する（ステップＳ３０４）。その判別の結果、ＣＰＵ１１は、ブラックリスト登録４０３が選択された場合は、後述するブラックリスト登録処理（図７）を実行して（ステップＳ３０５）、処理をステップＳ３０１に戻す。一方、ブラックリスト登録４０３が選択されない場合は、ＣＰＵ１１は、重複時動作設定４０４が選択されたか否かを判別する（ステップＳ３０６）。その判別の結果、重複時動作設定４０４が選択された場合は、後述する重複時の動作設定処理（図１５）を実行して（ステップＳ３０７）、処理をステップＳ３０１に戻す。
【００２０】
図５は、転送設定登録処理のフローチャートである。この処理は、図３のステップＳ３０３で実行される。まず、ＣＰＵ１１は、転送設定登録画面をユーザコマンド入力装置１４上に表示させる。図６は、この転送設定登録画面６０１の一例を示す図である。転送設定登録画面６０１での入力により転送設定が登録される。転送設定登録画面６０１において、転送条件名入力欄６０２には、転送条件名として、ユーザが転送条件を管理するための名前を設定することができる。相手先ＦＡＸ番号入力欄６０３、一致パターン入力欄６０４には、どのような番号からファクスを受信した時に転送を実行するかを設定することができ、これらが、転送設定に含まれる「転送条件」となる。
【００２１】
具体的には、相手先ＦＡＸ番号入力欄６０３には数値が入力され、一致パターン入力欄６０４には、相手先ＦＡＸ番号入力欄６０３に入力された数値との一致条件が設定される。設定可能な一致条件は、送信元の番号に対して全数値が一致する完全一致に限られない。例えば、送信元の番号に対して先頭の所定数の桁の数値が一致する先頭一致、送信元の番号に対して中間の所定数の桁の数値が一致する部分一致、または、送信元の番号に対して後端の所定数の桁の数値が一致する終端一致も設定可能である。相手先ＦＡＸ番号入力欄６０３及び一致パターン入力欄６０４で規定される転送条件に該当する送信元が、転送対象となる送信元として特定される。転送先入力欄６０５には、受信した文書を転送する宛先、すなわち転送先が設定される。従って、転送対象の送信元からの文書については、転送先入力欄６０５に設定された転送先へ転送される。図６に示す例では、「１２３４５６７」をファクス番号の一部に持つファクス端末５からファクス文書を受信した場合に、転送が有効となり、受信文書がファイルサーバ３へ送信される。
【００２２】
転送文書名入力欄６０６には、文書を転送する際に転送する文書に付与するファイル名が設定される。転送ファイル形式設定欄６０７には、転送の際に文書を変換するファイル形式が設定される。登録ボタン６０８は、転送設定につき現在の設定状態で登録する場合に押下される。キャンセルボタン６０９は、現在の設定状態を登録しないで設定作業を終了する場合に押下される。
【００２３】
図５のステップＳ５０２では、設定の入力が完了し登録が指示されたか否かを、登録ボタン６０８が押下されたか否かによって判別する。登録ボタン６０８が押下された場合は、入力された転送設定の登録が指示されたので、着信拒否と転送との間での送信元の重複の確認及び必要な修正をするために、ＣＰＵ１１は、後述するブラックリスト照会処理（図９）を実行する（ステップＳ５０３）。そして、ＣＰＵ１１は、現在の転送設定をＨＤＤ１３へ保存することで登録し（ステップＳ５０４）、図５の処理を終了させる。一方、登録ボタン６０８が押下されない場合は、ＣＰＵ１１は、登録キャンセルが指示されたか否かを、キャンセルボタン６０９が押下されたか否かによって判別する（ステップＳ５０５）。その判別の結果、ＣＰＵ１１は、キャンセルボタン６０９が押下されない場合は、処理をステップＳ５０２に戻す。一方、ＣＰＵ１１は、キャンセルボタン６０９が押下された場合は、入力された転送設定の登録キャンセルが指示されたので、図５の処理を終了させる。
【００２４】
図７は、ブラックリスト登録処理のフローチャートである。この処理は、図３のステップＳ３０５で実行される。まず、ステップＳ７０１では、ＣＰＵ１１は、ブラックリスト登録画面をユーザコマンド入力装置１４上に表示させる。図８は、このブラックリスト登録画面８０１の一例を示す図である。ブラックリスト登録画面８０１において、相手先ＦＡＸ番号入力欄８０２、一致パターン入力欄８０３には、どのような番号から着信があった時に着信拒否するのかを登録することができる。これらが、「着信拒否条件」となる。
【００２５】
具体的には、相手先ＦＡＸ番号入力欄８０２には数値が入力され、一致パターン入力欄８０３には、相手先ＦＡＸ番号入力欄８０２に入力された数値との一致条件が設定される。設定可能な一致条件は、転送条件（図６）で説明したのと同様であり、完全一致、先頭一致、部分一致、終端一致のいずれかが設定可能である。相手先ＦＡＸ番号入力欄８０２及び一致パターン入力欄８０３で規定される着信拒否条件に該当する送信元が、着信拒否対象となる送信元として特定される。図８に示す例では、「１２３４５」をファクス番号の一部に持つファクス端末５からファクス文書を受信した場合に、着信拒否される。登録ボタン８０４は、ブラックリストにつき現在の設定状態で登録する場合に押下される。キャンセルボタン８０５は、現在の設定状態を登録しないで設定作業を終了する場合に押下される。
【００２６】
図７のステップＳ７０２では、ＣＰＵ１１は、設定の入力が完了しブラックリストの登録が指示されたか否かを、登録ボタン８０４が押下されたか否かによって判別する。登録ボタン８０４が押下された場合は、入力されたブラックリストの登録が指示されたので、着信拒否と転送との間での送信元の重複の確認及び必要な修正をするために、ＣＰＵ１１は、後述する転送設定照会処理（図１０）を実行する（ステップＳ７０３）。そして、ＣＰＵ１１は、現在のブラックリストの設定をＨＤＤ１３へ保存することで登録し（ステップＳ７０４）、図７の処理を終了させる。一方、登録ボタン８０４が押下されない場合は、ＣＰＵ１１は、登録キャンセルが指示されたか否かを、キャンセルボタン８０５が押下されたか否かによって判別する（ステップＳ７０５）。その判別の結果、ＣＰＵ１１は、キャンセルボタン８０５が押下されない場合は、処理をステップＳ７０２に戻す。一方、ＣＰＵ１１は、キャンセルボタン８０５が押下された場合は、入力されたブラックリストの登録キャンセルが指示されたので、図７の処理を終了させる。
【００２７】
ここで、仮に、転送設定が図６に示した内容で登録され、且つ、ブラックリストが図８に示した内容で登録されたとする。転送条件（図６）によれば、ファクス番号１２３−４５６７を番号の一部に持つファクス端末５からの受信文書は転送されるべきである。ところが、着信拒否条件（図８）によれば、「１２３４５」をファクス番号の一部に持つファクス端末５からの着信は拒否される。従って、例えば、番号が１２３４５６７８９であるファクス端末５からの着信は一律に拒否され、転送処理がなされることはない。従って、着信拒否と転送との双方に該当する送信元については、実質的に、転送設定がブラックリストの登録により無効化されてしまう。そこで、転送設定またはブラックリストのいずれかを修正するようＣＰＵ１１は制御する。
【００２８】
図９は、ブラックリスト照会処理のフローチャートである。この処理は、図５のステップＳ５０３で実行される。まず、ＣＰＵ１１は、ブラックリスト照会処理開始前にユーザにより相手先ＦＡＸ番号入力欄６０３に入力された、転送条件におけるファクス番号を取得する（ステップＳ９０１）。このファクス番号は、受け付け中の転送条件に該当する送信元の番号となるが、完全なファクス番号とは限らず、ファクス番号の一部である場合もある。次に、ＣＰＵ１１は、ＨＤＤ１３に保存された登録済みのブラックリストから、着信拒否条件（相手先ＦＡＸ番号と一致パターンの組）を１つ取得する（ステップＳ９０２）。なお、ステップＳ９０２を実行する度に着信拒否条件は１つ取得されるが、その取得の順番は問わない。
【００２９】
以降、ステップＳ９０３、Ｓ９０６、Ｓ９０９、Ｓ９１２での判別において、取得した着信拒否条件における一致パターンが完全一致、先頭一致、部分一致、終端一致のいずれであるかによって、その後の処理が分岐する。一致パターンは、ブラックリスト登録時に一致パターン入力欄８０３に入力された一致パターンの情報を元に判断される。
【００３０】
ステップＳ９０３では、ＣＰＵ１１は、取得した着信拒否条件における一致パターンが完全一致であるか否かを判別する。ステップＳ９０３の判別の結果、取得した着信拒否条件における一致パターンが完全一致である場合は、ＣＰＵ１１は、処理をステップＳ９０４に進める。ステップＳ９０４では、ＣＰＵ１１は、ステップＳ９０１で取得した転送設定の転送条件におけるファクス番号とステップＳ９０２で取得した着信拒否条件におけるファクス番号とが完全一致になっているか否かを判別する（ステップＳ９０４）。両ファクス番号（転送設定の転送条件と着信拒否条件における各ファクス番号）が完全一致する場合は、同じ送信元が、着信拒否条件及び転送条件の双方に該当し、着信拒否と転送との間で対象とする送信元が重複する。すなわち、受け付け中の転送設定に含まれる転送条件に該当する送信元が、登録済みの着信拒否条件に該当する送信元と一致する「重複状態」が生じている。従って、重複を回避し、重複状態を解消する必要がある。そこでＣＰＵ１１は、後述する登録修正処理（図１１）を実行し（ステップＳ９０５）、処理をステップＳ９１５に進める。一方、両ファクス番号が完全一致しない場合は、ＣＰＵ１１は、処理をステップＳ９１５に進める。
【００３１】
ステップＳ９０３の判別の結果、取得した着信拒否条件における一致パターンが完全一致でない場合は、ＣＰＵ１１は、着信拒否条件における一致パターンが先頭一致であるか否かを判別する（ステップＳ９０６）。その判別の結果、着信拒否条件における一致パターンが先頭一致である場合は、ＣＰＵ１１は、転送条件におけるファクス番号が、先頭一致という観点で、着信拒否条件に該当するか否かを判別する（ステップＳ９０７）。例えば、着信拒否条件のファクス番号が、「０３−１２３」である場合、転送条件におけるファクス番号が「０３−１２３−４５」であればそれは着信拒否条件に該当するが、「０３−９９９−９９」であれば着信拒否条件に該当しない。その判別の結果、転送条件におけるファクス番号が着信拒否条件に該当する場合は、同じ送信元が、着信拒否条件及び転送条件の双方に該当し得る。そこでＣＰＵ１１は、後述する登録修正処理（図１１）を実行し（ステップＳ９０８）、処理をステップＳ９１５に進める。転送条件におけるファクス番号が着信拒否条件に該当しない場合は、ＣＰＵ１１は、処理をステップＳ９１５に進める。
【００３２】
ステップＳ９０６の判別の結果、着信拒否条件における一致パターンが先頭一致でない場合は、ＣＰＵ１１は、着信拒否条件における一致パターンが部分一致であるか否かを判別する（ステップＳ９０９）。ステップＳ９０９の判別の結果、着信拒否条件における一致パターンが部分一致である場合は、ＣＰＵ１１は、転送条件におけるファクス番号が、部分一致という観点で、着信拒否条件に該当するか否かを判別する（ステップＳ９１０）。例えば、着信拒否条件のファクス番号が、「１２３４５６」である場合、転送条件におけるファクス番号が「１２３４５６７８」であればそれは着信拒否条件に該当するが、「９９９９９９９９」であれば着信拒否条件に該当しない。その判別の結果、転送条件におけるファクス番号が着信拒否条件に該当する場合は、同じ送信元が、着信拒否条件及び転送条件の双方に該当し得る。そこでＣＰＵ１１は、後述する登録修正処理（図１１）を実行し（ステップＳ９１１）、処理をステップＳ９１５に進める。転送条件におけるファクス番号が着信拒否条件に該当しない場合は、ＣＰＵ１１は、処理をステップＳ９１５に進める。
【００３３】
ステップＳ９０９の判別の結果、着信拒否条件における一致パターンが部分一致でない場合は、ＣＰＵ１１は、着信拒否条件における一致パターンが終端一致であるか否かを判別する（ステップＳ９１２）。ステップＳ９１２の判別の結果、着信拒否条件における一致パターンが終端一致でない場合は、ＣＰＵ１１は、処理をステップＳ９１５に進める。一方、着信拒否条件における一致パターンが終端一致である場合は、ＣＰＵ１１は、転送条件におけるファクス番号が、終端一致という観点で、着信拒否条件に該当するか否かを判別する（ステップＳ９１３）。例えば、着信拒否条件のファクス番号が、「６７８９」である場合、転送条件におけるファクス番号が「４５６７８９」であればそれは着信拒否条件に該当するが、「９９９９」であれば着信拒否条件に該当しない。その判別の結果、転送条件におけるファクス番号が着信拒否条件に該当する場合は、同じ送信元が、着信拒否条件及び転送条件の双方に該当し得る。そこでＣＰＵ１１は、後述する登録修正処理（図１１）を実行し（ステップＳ９１４）、処理をステップＳ９１５に進める。転送条件におけるファクス番号が着信拒否条件に該当しない場合は、ＣＰＵ１１は、処理をステップＳ９１５に進める。
【００３４】
ステップＳ９１５では、ＣＰＵ１１は、ＨＤＤ１３に保存されている全ての着信拒否条件をチェックしたか否かを判別する。そして、ＣＰＵ１１は、未チェックの着信拒否条件があれば処理をステップＳ９０２に戻す一方、全ての着信拒否条件をチェックした場合は、図９の処理を終了させる。
【００３５】
図１０は、転送設定照会処理のフローチャートである。この処理は、図７のステップＳ７０３で実行される。まず、ＣＰＵ１１は、転送設定照会処理開始前にユーザにより相手先ＦＡＸ番号入力欄８０２に入力された、着信拒否条件におけるファクス番号を取得する（ステップＳ１００１）。このファクス番号は、受け付け中の着信拒否条件に該当する送信元の番号となるが、完全なファクス番号とは限らず、ファクス番号の一部である場合もある。次に、ＣＰＵ１１は、ＨＤＤ１３に保存・登録されている転送設定から、転送条件（相手先ＦＡＸ番号と一致パターンの組）を１つ取得する（ステップＳ１００２）。なお、ステップＳ１００２を実行する度に転送条件は１つ取得されるが、その取得の順番は問わない。
【００３６】
以降、ステップＳ１００３、Ｓ１００６、Ｓ１００９、Ｓ１０１２での判別において、取得した転送条件における一致パターンが完全一致、先頭一致、部分一致、終端一致のいずれであるかによって、その後の処理が分岐する。一致パターンは、転送設定登録時に一致パターン入力欄６０４に入力された一致パターンの情報を元に判断される。図９と図１０とでは、比較の関係が逆転するが、基本的処理は同様である。
【００３７】
ステップＳ１００３では、ＣＰＵ１１は、取得した転送条件における一致パターンが完全一致であるか否かを判別する。ステップＳ１００３の判別の結果、取得した転送条件における一致パターンが完全一致である場合は、ＣＰＵ１１は、処理をステップＳ１００４に進める。ステップＳ１００４では、ＣＰＵ１１は、ステップＳ１００１で取得した着信拒否条件におけるファクス番号とステップＳ１００２で取得した転送条件におけるファクス番号とが完全一致になっているか否かを判別する（ステップＳ１００４）。両ファクス番号（着信拒否条件と転送条件における各ファクス番号）が完全一致する場合は、同じ送信元が、転送条件及び着信拒否条件の双方に該当し、着信拒否と転送との間で対象とする送信元が重複する。すなわち、受け付け中の転送設定に含まれる着信拒否条件に該当する送信元が、登録済みの転送条件に該当する送信元と一致する「重複状態」が生じている。従って、重複を回避し、重複状態を解消する必要がある。そこでＣＰＵ１１は、後述する登録修正処理（図１１）を実行し（ステップＳ１００５）、処理をステップＳ１０１５に進める。一方、両ファクス番号が完全一致しない場合は、ＣＰＵ１１は、処理をステップＳ１０１５に進める。
【００３８】
ステップＳ１００３の判別の結果、取得した転送条件における一致パターンが完全一致でない場合は、ＣＰＵ１１は、転送条件における一致パターンが先頭一致であるか否かを判別する（ステップＳ１００６）。その判別の結果、転送条件における一致パターンが先頭一致である場合は、ＣＰＵ１１は、着信拒否条件におけるファクス番号が、先頭一致という観点で、転送条件に該当するか否かを判別する（ステップＳ１００７）。例えば、転送条件のファクス番号が、「０３−１２３」である場合、着信拒否条件におけるファクス番号が「０３−１２３−４５」であればそれは転送条件に該当するが、「０３−９９９−９９」であれば転送条件に該当しない。その判別の結果、着信拒否条件におけるファクス番号が転送条件に該当する場合は、同じ送信元が、転送条件及び着信拒否条件の双方に該当し得る。そこでＣＰＵ１１は、後述する登録修正処理（図１１）を実行し（ステップＳ１００８）、処理をステップＳ１０１５に進める。着信拒否条件におけるファクス番号が転送条件に該当しない場合は、ＣＰＵ１１は、処理をステップＳ１０１５に進める。
【００３９】
ステップＳ１００６の判別の結果、転送条件における一致パターンが先頭一致でない場合は、ＣＰＵ１１は、転送条件における一致パターンが部分一致であるか否かを判別する（ステップＳ１００９）。ステップＳ１００９の判別の結果、転送条件における一致パターンが部分一致である場合は、ＣＰＵ１１は、着信拒否条件におけるファクス番号が、部分一致という観点で、転送条件に該当するか否かを判別する（ステップＳ１０１０）。例えば、転送条件のファクス番号が、「１２３４５６」である場合、着信拒否条件におけるファクス番号が「１２３４５６７８」であればそれは転送条件に該当するが、「９９９９９９９９」であれば転送条件に該当しない。その判別の結果、着信拒否条件におけるファクス番号が転送条件に該当する場合は、同じ送信元が、転送条件及び着信拒否条件の双方に該当し得る。そこでＣＰＵ１１は、後述する登録修正処理（図１１）を実行し（ステップＳ１０１１）、処理をステップＳ１０１５に進める。着信拒否条件におけるファクス番号が転送条件に該当しない場合は、ＣＰＵ１１は、処理をステップＳ１０１５に進める。
【００４０】
ステップＳ１００９の判別の結果、転送条件における一致パターンが部分一致でない場合は、ＣＰＵ１１は、転送条件における一致パターンが終端一致であるか否かを判別する（ステップＳ１０１２）。ステップＳ１０１２の判別の結果、転送条件における一致パターンが終端一致でない場合は、ＣＰＵ１１は、処理をステップＳ１０１５に進める。一方、転送条件における一致パターンが終端一致である場合は、ＣＰＵ１１は、着信拒否条件におけるファクス番号が、終端一致という観点で、転送条件に該当するか否かを判別する（ステップＳ１０１３）。例えば、転送条件のファクス番号が、「６７８９」である場合、着信拒否条件におけるファクス番号が「４５６７８９」であればそれは転送条件に該当するが、「９９９９」であれば転送条件に該当しない。その判別の結果、着信拒否条件におけるファクス番号が転送条件に該当する場合は、同じ送信元が、転送条件及び着信拒否条件の双方に該当し得る。そこでＣＰＵ１１は、後述する登録修正処理（図１１）を実行し（ステップＳ１０１４）、処理をステップＳ１０１５に進める。着信拒否条件におけるファクス番号が転送条件に該当しない場合は、ＣＰＵ１１は、処理をステップＳ１０１５に進める。
【００４１】
ステップＳ１０１５では、ＣＰＵ１１は、ＨＤＤ１３に保存されている全ての転送条件をチェックしたか否かを判別する。そして、ＣＰＵ１１は、未チェックの転送条件があれば処理をステップＳ１００２に戻す一方、全ての転送条件をチェックした場合は、図１０の処理を終了させる。
【００４２】
図１１は、登録修正処理のフローチャートである。この処理は、図９のステップＳ９０５、Ｓ９０８、Ｓ９１１、Ｓ９１４、図１０のステップＳ１００５、Ｓ１００８、Ｓ１０１１、Ｓ１０１４で実行される。
【００４３】
まず、ＣＰＵ１１は、後述する重複時動作設定に基づき、重複時に「転送設定を修正」する設定になっているか否かを判別する（ステップＳ１１０１）。ここで、重複時動作設定は、図１５の重複時の動作設定処理で設定され、その設定情報はＨＤＤ１３に保存されている。ユーザが設定可能な重複時動作設定には、「転送設定を修正」、「ブラックリストを修正」、「都度修正」の３つがある（図１６参照）。ステップＳ１１０１の判別の結果、重複時に「転送設定を修正」する設定になっている場合は、ステップＳ１１０２〜Ｓ１１０５で、ＣＰＵ１１は、転送設定を修正するよう制御する。
【００４４】
まず、ＣＰＵ１１は、転送設定の修正画面として、図６に例示したような転送設定登録画面６０１をユーザコマンド入力装置１４上に表示させる（ステップＳ１１０２）。そして、ＣＰＵ１１は、着信拒否条件と重複している転送設定の情報を画面上に補完する（ステップＳ１１０３）。具体的には、ＣＰＵ１１は、着信拒否条件と重複している転送条件を相手先ＦＡＸ番号入力欄６０３、一致パターン入力欄６０４に表示させると共に、修正入力があればそれを表示に反映させる。着信拒否条件と重複している転送条件が表示されることで、重複が生じていることが報知される。ＣＰＵ１１は、転送設定登録画面６０１において登録ボタン６０８が押下されるまで、ステップＳ１１０３の処理を継続する（ステップＳ１１０４）。そして登録ボタン６０８が押下されると、転送設定の修正入力完了が指示されたので、ＣＰＵ１１は再度、ブラックリスト照会処理（図９）を実行して（ステップＳ１１０５）、図１１の処理を終了させる。
【００４５】
ステップＳ１１０１の判別の結果、ＣＰＵ１１は、重複時に「転送設定を修正」する設定になっていない場合は、重複時に「ブラックリストを修正」する設定になっているか否かを判別する（ステップＳ１１０６）。その判別の結果、重複時に「ブラックリストを修正」する設定になっている場合は、ステップＳ１１０７〜Ｓ１１１０で、ＣＰＵ１１は、ブラックリストを修正するよう制御する。
【００４６】
まず、ＣＰＵ１１は、ブラックリストの修正画面として、図８に例示したようなブラックリスト登録画面８０１をユーザコマンド入力装置１４上に表示させる（ステップＳ１１０６）。そして、ＣＰＵ１１は、転送条件と重複している着信拒否条件の情報を画面上に補完する（ステップＳ１１０７）。具体的には、ＣＰＵ１１は、転送条件と重複している着信拒否条件を相手先ＦＡＸ番号入力欄８０２、一致パターン入力欄８０３に表示させると共に、修正入力があればそれを表示に反映させる。転送条件と重複している着信拒否条件が表示されることで、重複が生じていることが報知される。ＣＰＵ１１は、ブラックリスト登録画面８０１において登録ボタン８０４が押下されるまで、ステップＳ１１０８の処理を継続する（ステップＳ１１０９）。そして登録ボタン８０４が押下されると、ブラックリストの修正入力完了が指示されたので、ＣＰＵ１１は再度、転送設定照会処理（図１０）を実行して（ステップＳ１１１０）、図１１の処理を終了させる。
【００４７】
ステップＳ１１０６の判別の結果、重複時に「ブラックリストを修正」する設定になっていない場合は、都度修正が設定されている。この場合、ＣＰＵ１１は、転送設定とブラックリストのどちらを修正するかを選択させるための修正項目選択画面１２０１（図１２）をユーザコマンド入力装置１４上に表示させる（ステップＳ１１１１）。図１２は、修正項目選択画面１２０１の一例を示す図である。次にＣＰＵ１１は、修正項目選択画面１２０１において転送設定修正ボタン１２０２が押下されたか否かを判断することによって、転送設定を修正することが指示されたか否かを判別する（ステップＳ１１１２）。その判別の結果、転送設定を修正することが指示された場合は、ＣＰＵ１１は、ステップＳ１１１３〜Ｓ１１１６で、ステップＳ１１０２〜Ｓ１１０５と同様の処理を実行して、図１１の処理を終了させる。
【００４８】
ステップＳ１１１２の判別の結果、転送設定を修正することが指示されていない場合は、ＣＰＵ１１は、処理をステップＳ１１１７に進める。ステップＳ１１１７では、ＣＰＵ１１は、修正項目選択画面１２０１においてブラックリスト修正ボタン１２０３が押下されたか否かを判断することによって、ブラックリストを修正することが指示されたか否かを判別する。その判別の結果、ブラックリストを修正することが指示されない場合は、ＣＰＵ１１は、処理をステップＳ１１１２に戻す。一方、ブラックリストを修正することが指示された場合は、ＣＰＵ１１は、ステップＳ１１１８〜Ｓ１１２１で、ステップＳ１１０７〜Ｓ１１１０と同様の処理を実行して、図１１の処理を終了させる。図１１の処理により、転送設定またはブラックリストの修正をユーザに促すと共に、修正を反映させることができ、重複を回避できる。
【００４９】
図１３は、受信処理のフローチャートである。この処理を実行するためのプログラムはＨＤＤ１３に記憶されており、画像通信装置１に電源が供給されるとＨＤＤ１３に記憶されたプログラムがＲＡＭ１２上に展開され、ＣＰＵ１１によって実行される。
【００５０】
まず、ＣＰＵ１１は、公衆電話回線４を経由してファクスモデム１５がファクス端末５から着信を受けたかどうかの確認によって着信を待つ（ステップＳ１３０１）。着信があると、ＣＰＵ１１は、ＨＤＤ１３に登録されているブラックリストのいずれかの着信拒否条件に該当するか否かという観点で、送信元の着信番号を登録ブラックリストから検索する（ステップＳ１３０２）。そして、ＣＰＵ１１は、送信元の着信番号が登録ブラックリストのいずれかの着信拒否条件に該当するか否かを判別する（ステップＳ１３０３）。その判別の結果、送信元の着信番号が登録ブラックリストのいずれかの着信拒否条件に該当する場合は、ＣＰＵ１１は、その送信元からの着信を拒否する（ステップＳ１３０４）。これにより、文書の受信が拒否される。その後、処理はステップＳ１３０１に戻る。
【００５１】
一方、送信元の着信番号が登録ブラックリストのいずれの着信拒否条件にも該当しない場合は、ＣＰＵ１１は、その送信元からの着信をファクスプロトコルに従って処理し、送信元から文書を受信してＨＤＤ１３に保存する（ステップＳ１３０５）。次に、ＣＰＵ１１は、後述する転送処理（図１４）を実行して（ステップ１３０６）、処理をステップＳ１３０１に戻す。
【００５２】
図１４は、転送処理のフローチャートである。この処理は図１３のステップ１３０６で実行される。まず、ＣＰＵ１１は、文書の送信元のファクス番号が、ＨＤＤ１３に登録されている転送設定の転送条件のいずれかに該当するか否かという観点で転送設定を検索し、送信元のファクス番号が該当することになる転送設定を取得する（ステップＳ１４０１）。送信元のファクス番号が転送条件を満たすような転送設定は複数存在し得る。そしてＣＰＵ１１は、転送設定が１件以上取得されたか否かを判別し（ステップＳ１４０２）、転送設定が１つも取得されなかった場合は、図１４の処理を終了させる。一方、転送設定が１件以上取得された場合は、ＣＰＵ１１は、取得した転送設定の１つを今回の処理対象用に取得する（ステップＳ１４０３）。ここで、転送設定の取得の順番は問わない。次に、ＣＰＵ１１は、今回の処理対象用に取得した転送設定に従って、受信した文書を転送する（ステップＳ１４０４）。これにより、転送条件を満たす送信元からの受信文書が、設定されている転送先へと転送される。
【００５３】
その後、ＣＰＵ１１は、ステップＳ１４０１で取得した全ての転送設定に対して、ステップＳ１４０３、Ｓ１４０４の処理を実行したか否かを判別する（ステップＳ１４０５）。ＣＰＵ１１は、ステップＳ１４０３、Ｓ１４０４の処理が未実行である転送設定が残っている場合は処理をステップＳ１４０２に戻す一方、全ての転送設定に対してステップＳ１４０３、Ｓ１４０４の処理を実行した場合は、図１４の処理を終了させる。
【００５４】
図１５は、重複時の動作設定処理のフローチャートである。この処理は、図３のステップＳ３０７で実行される。まず、ＣＰＵ１１は、重複時動作設定画面１６０１（図１６）をユーザコマンド入力装置１４上に表示させる（ステップＳ１５０１）。図１６は、重複時動作設定画面１６０１の一例を示す図である。重複時動作設定画面１６０１には、「転送設定を修正」、「ブラックリストを修正」、「都度修正」をそれぞれ設定するためのボタンとして、転送設定修正ボタン１６０２、ブラックリスト修正ボタン１６０３、都度設定修正ボタン１６０４がある。
【００５５】
ステップＳ１５０２では、ＣＰＵ１１は、転送設定修正ボタン１６０２が選択されたか否かを判別し、転送設定修正ボタン１６０２が選択された場合は、重複時に転送設定を修正するという設定情報をＨＤＤ１３に保存する（ステップＳ１５０３）。その後、図１５の処理は終了する。転送設定修正ボタン１６０２が選択されない場合は、ＣＰＵ１１は、ブラックリスト修正ボタン１６０３が選択されたか否かを判別する（ステップＳ１５０４）。ブラックリスト修正ボタン１６０３が選択された場合は、ＣＰＵ１１は、重複時にブラックリストを修正するという設定情報をＨＤＤ１３に保存し（ステップＳ１５０５）、図１５の処理を終了させる。ブラックリスト修正ボタン１６０３が選択されない場合は、ＣＰＵ１１は、都度設定修正ボタン１６０４が選択されたか否かを判別する（ステップＳ１５０６）。都度設定修正ボタン１６０４が選択されない場合は、ＣＰＵ１１は、処理をステップＳ１５０１に戻す。一方、都度設定修正ボタン１６０４が選択された場合は、ＣＰＵ１１は、重複時に転送設定とブラックリストのどちらを修正するかをユーザに選択させる都度設定という設定情報をＨＤＤ１３に保存し（ステップＳ１５０７）、図１５の処理を終了させる。
【００５６】
本実施の形態によれば、受け付け中の転送設定の転送条件に該当する送信元が、登録済みの着信拒否条件のいずれかに該当する送信元と一致する重複状態が生じる場合は、登録修正処理がなされる（図９）。この登録修正処理では、受け付け中の転送条件または登録済みの着信拒否条件を修正するよう制御される（図１１）。これにより、転送設定の登録の際に、着信拒否と転送との間で対象とする送信元が重複するような登録を回避することができる。また、受け付け中の着信拒否条件に該当する送信元が登録済みの転送条件のいずれかに該当する送信元と一致する重複状態が生じた場合も、登録修正処理がなされる（図１０）。この登録修正処理では、受け付け中の前記着信拒否条件または登録済みの転送条件を修正するよう制御される（図１１）。これにより、着信拒否条件の登録の際に、着信拒否と転送との間で対象とする送信元が重複するような登録を回避することができる。従って、ユーザが意図するような受信と転送が適切に行われ、利便性の低下を招かない。
【００５７】
また、着信拒否条件と転送設定のいずれを修正するかを、ユーザに予め選択させることができる（図１５、図１６）。あるいは、重複状態が生じた段階でユーザに選択させることもできる（図１２）。これらにより、重複が生じる場合に、着信拒否と転送のうちユーザの所望する方を修正でき、使い勝手が高い。
【００５８】
なお、本実施の形態では、着信拒否と転送との間で対象とする送信元が重複する場合に、それを解消するために修正動作へ移行するよう制御された。しかし、重複が生じていることをユーザに報知するだけでも一定の効果はある。その場合の報知は、画面表示を用いてもよいし音声を用いてもよい。
【００５９】
（第２の実施の形態）
第１の実施の形態では、着信拒否する送信元の番号とそれを特定する条件をブラックリスト、着信拒否条件として登録した。本発明の第２の実施の形態では、転送設定登録画面６０１（図６）を用いて、転送条件と着信拒否条件の双方を登録する機能を持つ構成を採用する。従って、図１〜図６、図１４、図１７を用いて第２の実施の形態を説明する。ただし、これらの図及び処理において、第１の実施の形態で説明したブラックリストないし着信拒否条件の関する部分を実行する必要はない。
【００６０】
第１の実施の形態とは異なり、第２の実施の形態においては、転送設定登録画面６０１（図６）の転送先入力欄６０５には、転送先と着信拒否とが選択的に入力・設定可能である。転送先入力欄６０５に入力された内容が、処理を決める「処理設定」となる。転送先入力欄６０５に転送先が設定された場合は、その設定内容により、受信文書を転送する旨と転送先とが規定される。転送先入力欄６０５に着信拒否が設定された場合は、着信を拒否する旨が規定される。相手先ＦＡＸ番号入力欄６０３及び一致パターン入力欄６０４で設定される情報は、第１の実施の形態では「転送条件」と呼称したが、本実施の形態では「送信元条件」と呼称する。図５の転送設定登録処理により、送信元条件と処理設定（転送する旨及び転送先の情報、または着信拒否の旨）とが対応付けられて登録される。転送先入力欄６０５に、転送先、着信拒否が設定された場合はそれぞれ、送信元条件は、着信拒否すべき送信元の番号、文書受信をして転送する対象となる送信元の番号を特定する情報となる。従って、転送設定と着信拒否とを共通の設定画面にて設定できる。
【００６１】
図１７は、受信処理のフローチャートである。この処理の開始条件は図１３の受信処理と同様である。まず、ＣＰＵ１１は、図１３のステップＳ１３０１と同様に着信を待つ（ステップＳ１７０１）。着信があると、ＣＰＵ１１は、送信元の着信番号が送信元条件（入力欄６０３、６０４で設定される情報）に該当するか否かという観点で、送信元の着信番号が該当している送信元条件を転送設定から検索する（ステップＳ１７０２）。そして、ＣＰＵ１１は、送信元の着信番号が該当している送信元条件に対応して設定されている処理設定が着信拒否となっている否かを判別する（ステップＳ１７０３）。
【００６２】
その判別の結果、送信元の着信番号が該当している送信元条件に対応して設定されている処理設定が着新拒否となっている場合は、ＣＰＵ１１は、ステップＳ１７０４で、ステップＳ１３０４と同様に当該送信元からの着信拒否、受信拒否を行う。その後、ＣＰＵ１１は、処理をステップＳ１７０１に戻す。一方、送信元の着信番号が該当している送信元条件に対応して設定されている処理設定が「転送先」である場合は、処理をステップＳ１７０５へ進める。なお、送信元の着信番号が該当している送信元条件が存在しない場合も、処理はステップＳ１７０５に進む。
【００６３】
ＣＰＵ１１は、ステップＳ１７０５で、ステップＳ１３０５と同様の処理を実行し、送信元から文書の受信処理を実施する。ステップＳ１７０６では、ＣＰＵ１１は、ステップＳ１３０６と同様に、転送処理（図１４）を実行する。その際ＣＰＵ１１は、処理設定で設定されている転送先へ文書を転送する。その後、処理はステップＳ１７０１に戻る。
【００６４】
本実施の形態によれば、登録された送信元条件に該当する送信元から着信があった場合において、送信元条件に対応する処理設定に転送先が設定されている場合は、転送処理が実施される。しかし、処理設定に着信拒否が設定されている場合は、文書の受信が拒否される。転送先入力欄６０５には、転送先、着信拒否が択一的に設定されるので、同じ送信元番号が着信拒否と転送とに重複登録されることがない。よって、着信拒否と転送との間で対象とする送信元が重複するような登録を回避することに関し、第１の実施の形態と同様の効果を奏することができる。また、共通の画面にて、転送先と着信拒否の設定を行えるので、設定操作や管理が簡単になる。
【００６５】
（その他の実施例）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【００６６】
以上、本発明をその好適な実施形態に基づいて詳述してきたが、本発明はこれら特定の実施形態に限られるものではなく、この発明の要旨を逸脱しない範囲の様々な形態も本発明に含まれる。上述の実施形態の一部を適宜組み合わせてもよい。
【符号の説明】
【００６７】
１  画像通信装置
１１  ＣＰＵ
１４  ユーザコマンド入力装置
【図１】
2017060098.tif 000003
【図２】
2017060098.tif 000004
【図３】
2017060098.tif 000005
【図４】
2017060098.tif 000006
【図５】
2017060098.tif 000007
【図６】
2017060098.tif 000008
【図７】
2017060098.tif 000009
【図８】
2017060098.tif 000010
【図９】
2017060098.tif 000011
【図１０】
2017060098.tif 000012
【図１１】
2017060098.tif 000013
【図１２】
2017060098.tif 000014
【図１３】
2017060098.tif 000015
【図１４】
2017060098.tif 000016
【図１５】
2017060098.tif 000017
【図１６】
2017060098.tif 000018
【図１７】
2017060098.tif 000019